(57)【要約】【課題】  表示装置上でのフォルダとファイルの識別を容易にする電子音楽装置を提供する。【解決手段】  電子音楽装置は、それぞれに名称が付与されたフォルダ及びデータファイルを階層構造で管理し記憶する記憶手段と、前記階層構造のうち任意の階層を選択する選択手段と、前記選択された階層のフォルダ及びデータファイルを検出する検出手段と、前記検出されたフォルダ及びデータファイルの少なくとも一方の名称の先頭に所定の記号文字を付与する付与手段と、前記付与手段によって少なくとも一方の名称の先頭に所定の記号文字が付与されたフォルダ及びデータファイルを一覧表示する表示手段とを有する。【選択図】  図３
2009216902.tif 000002
【特許請求の範囲】
【請求項１】
それぞれに名称が付与されたフォルダ及びデータファイルを階層構造で管理し記憶する記憶手段と、
前記階層構造のうち任意の階層を選択する選択手段と、
前記選択された階層のフォルダ及びデータファイルを検出する検出手段と、
前記検出されたフォルダ及びデータファイルの少なくとも一方の名称の先頭に所定の記号文字を付与する付与手段と、
前記付与手段によって少なくとも一方の名称の先頭に所定の記号文字が付与されたフォルダ及びデータファイルを一覧表示する表示手段と
を有する電子情報処理装置。
【請求項２】
それぞれに名称が付与されたフォルダ及びデータファイルを階層構造で管理し記憶する記憶手段と、前記フォルダ及びデータファイルの一覧表示が可能な表示手段とを有する電子情報処理装置で実行されるプログラムであって、
前記階層構造のうち任意の階層を選択する選択手順と、
前記選択された階層のフォルダ及びデータファイルを検出する検出手順と、
前記検出されたフォルダ及びデータファイルの少なくとも一方の名称の先頭に所定の記号文字を付与する付与手順と、
前記付与手段によって少なくとも一方の名称の先頭に所定の記号文字が付与されたフォルダ及びデータファイルを表示手段に一覧表示する表示手順と
を有するプログラム。
【発明の詳細な説明】
【技術分野】
【０００１】
本発明は、電子情報処理装置に関し、より詳しくは、階層構造のデータをリスト表示する電子情報処理装置に関する。
【背景技術】
【０００２】
従来、電子情報処理装置としては、それぞれ名称が付与された複数のフォルダ（あるいはディレクトリ）及び複数の音楽データファイル等を階層構造で管理・記憶し、記憶した音楽データファイルを読み出して再生可能な電子音楽装置が知られている（例えば、特許文献1参照）。
【０００３】
一般的に、このような電子音楽装置は、記憶されているフォルダ（あるいはディレクトリ）と音楽データファイル等を内蔵の表示装置上にリスト表示することができる。ここで、同一階層にフォルダ（あるいはディレクトリ）と音楽データファイルの双方が存在する場合は、表示装置上で両者を識別可能なように、フォルダ名やファイル名の先頭にフォルダやファイルであることを現すアイコン画像を表示している。
【０００４】
【特許文献１】特開２００７−０９４９２０号公報
【発明の開示】
【発明が解決しようとする課題】
【０００５】
一般的に、電子楽器や音源装置、ミキサ装置などの音楽関連処理に特化した電子音楽装置では、必要最小限の大きさ、分解能の表示装置のみを備えている。このような電子音楽装置では、文字や簡単な記号のみが表示可能であって、アイコン画像を表示装置に表示できない場合や、アイコン画像の表示能力はあるものの仕様によりアイコン画像を表示しないようにしている場合がある。このような場合、上述した従来の電子音楽装置のように、フォルダ名やファイル名の先頭にアイコン画像を表示することができず、表示装置上ではフォルダとファイルの見分けがつかなくなる。
【０００６】
本発明の目的は、表示装置上でのフォルダとファイルの識別を容易にする電子情報処理装置を提供することである。
【課題を解決するための手段】
【０００７】
本発明の一観点によれば、電子情報処理装置は、それぞれに名称が付与されたフォルダ及びデータファイルを階層構造で管理し記憶する記憶手段と、前記階層構造のうち任意の階層を選択する選択手段と、前記選択された階層のフォルダ及びデータファイルを検出する検出手段と、前記検出されたフォルダ及びデータファイルの少なくとも一方の名称の先頭に所定の記号文字を付与する付与手段と、前記付与手段によって少なくとも一方の名称の先頭に所定の記号文字が付与されたフォルダ及びデータファイルを一覧表示する表示手段とを有する。
【発明の効果】
【０００８】
本発明によれば、電子情報処理装置において、表示装置上でのフォルダとファイルの識別を容易にすることができる。
【発明を実施するための最良の形態】
【０００９】
図１は、本発明の実施例による電子情報処理装置としての電子音楽装置１のハードウェア構成を表すブロック図である。
【００１０】
電子音楽装置１は、例えば、鍵盤等の演奏操作子を有する電子楽器や、音源装置、ミキサ装置、オーディオ録音又は再生装置等の音楽に関連する処理を行うことが可能な装置である。
【００１１】
電子音楽装置１のバス６には、ＲＡＭ７、ＲＯＭ８、ＣＰＵ９、タイマ１０、検出回路１１、表示回路１３、記憶装置１５、音源・効果回路１８、通信インターフェイス（Ｉ／Ｆ）２１が接続される。
【００１２】
ＲＡＭ７は、再生バッファ等のバッファ領域、フラグ、レジスタ、各種パラメータ等を記憶するＣＰＵ９のワーキングエリアを有する。
【００１３】
ＲＯＭ８には、各種データファイル、各種パラメータ及び制御プログラム、又は本実施例を実現するためのプログラム等を記憶することができる。この場合、プログラム等を重ねて、記憶装置１５に記憶する必要は無い。
【００１４】
ＣＰＵ９は、ＲＯＭ８又は、記憶装置１５に記憶されている制御プログラム又は本実施例を実現するためのプログラム等に従い、演算又は電子音楽装置１の制御を行う。タイマ１０は、ＣＰＵ９に接続されており、基本クロック信号、割り込み処理タイミング等をＣＰＵ９に供給する。
【００１５】
ユーザは、検出回路１１に接続される設定操作子１２を用いて、各種入力及び設定、選択をすることができる。設定操作子１２は、例えば、スイッチ、パッド、フェーダ、スライダ、ロータリーエンコーダ、ジョイスティック、ジョグシャトル、文字入力用キーボード、マウス等、ユーザの入力に応じた信号を出力できるものならどのようなものでもよい。また、設定操作子１２は、カーソルスイッチ等の他の操作子を用いて操作する表示装置１４上に表示されるソフトスイッチ等でもよい。本実施例では、ユーザは設定操作子１２を用いて表示装置１４上にその内容をリスト表示するフォルダ（ディレクトリ又は階層）や、その階層化に含まれるデータファイルを選択する。
【００１６】
表示回路１３は、表示装置１４に接続され、各種情報を表示装置１４に表示することができる。ユーザは、この表示装置１４に表示される情報を参照して、各種入力及び設定を行う。本実施例では、後述するように表示装置１４に、記憶装置１５またはＲＯＭ８に記憶された複数のフォルダ（あるいはディレクトリ）ＤＲ及び複数のデータファイルＤＦ等をリスト表示する。また、本実施例においては、表示装置１４は、少なくともテキスト情報を表示可能なものでよい。
【００１７】
記憶装置１５は、ハードディスク、ＦＤ（フレキシブルディスク又はフロッピーディスク（登録商標））、ＣＤ（コンパクトディスク）、ＤＶＤ（デジタル多目的ディスク）、フラッシュメモリ等の半導体メモリ等の記憶媒体とその駆動装置の組み合わせの少なくとも１つで構成される。記憶媒体は、着脱可能であってもよいし、電子音楽装置１に内蔵されていてもよい。記憶装置１５及び（または）ＲＯＭ８には、本発明の各実施例を実現するためのプログラムや、その他の電子音楽装置１を制御するためのプログラムを記憶することができる。なお、本発明の各実施例を実現するためのプログラムや、その他の電子音楽装置１を制御するためのプログラムを記憶装置１５に記憶する場合は、これらをＲＯＭ８に合わせて記憶する必要はない。また、一部のプログラムのみを記憶装置１５に記憶し、その他のプログラムをＲＯＭ８に記憶するようにしてもよい。
【００１８】
記憶装置１５及び（または）ＲＯＭ８には、例えば、図２に示すように、それぞれテキストデータによる名称が付与された複数のフォルダ（あるいはディレクトリ）ＤＲ及び複数のデータファイル（ソングデータ、伴奏スタイルデータ、音色データ、各種設定ファイル等）ＤＦが階層構造で管理され記憶されている。具体的には、フォルダ（ディレクトリ）ＤＲ（例えば「ＲＯＯＴ」）の下に、複数のフォルダＤＲ（例えば、「ＵＳＥＲ」、「ＡＡＡ」、「ＢＢＢ」等）が記憶され、当該複数のフォルダＤＲのそれぞれの下にもさらに複数のフォルダＤＲ（例えば、「ＳＯＮＧ」、「ＣＣＣ」等）が記憶されるとともに、データファイルＤＦ（例えば、「ＤＤＤ」）が記憶される。後述するリスト表示例（図３）でリスト表示するフォルダＤＲ（フォルダ「ＲＯＯＴ＞ＵＳＥＲ＞ＳＯＮＧ」）内には、例えば、フォルダ「ＵＳＥＲ  ＳＯＮＧ」及びデータファイル（音楽データファイル）「ＵＳＥＲ  ＳＯＮＧ」、「ＳＯＮＧ  ００１」、「ＳＯＮＧ  ００２」が記憶されている。
【００１９】
図１に戻り、音源・効果回路１８は、記憶装置１５、ＲＯＭ８又はＲＡＭ７等に記録された音楽データファイルＤＦ若しくは演奏操作子２２又は通信インターフェイス２１に接続された外部機器等から供給される演奏信号、ＭＩＤＩ信号等に応じて楽音信号を生成し、各種音楽的効果を付与して、サウンドシステム１９に供給する。サウンドシステム１９は、Ｄ／Ａ変換器及びスピーカを含み、供給されるデジタル形式の楽音信号をアナログ形式に変換し、発音する。
【００２０】
演奏操作子（鍵盤、パッド等）２２は、ユーザの演奏を入力するための操作子であり、ユーザが操作した操作子に対応する音高で、該ユーザの操作子に対する操作開始タイミング及び終了タイミングをそれぞれキーオン及びキーオフ信号として入力する。
【００２１】
通信インターフェイス２１は、ＭＩＤＩなどの音楽専用有線Ｉ／Ｆ、ＵＳＢやＩＥＥＥ１３９４等の汎用近距離有線Ｉ／Ｆ、Ｅｔｈｅｒｎｅｔ（登録商標）等の汎用ネットワークＩ／Ｆ、無線ＬＡＮやＢｌｕｅｔｏｏｔｈ（登録商標）等の汎用近距離無線Ｉ／Ｆ等の通信インターフェイスのうち少なくとも１つで構成される。
【００２２】
図３は、本発明の実施例によるフォルダＤＲ及びファイルＤＦのリスト表示例である。
【００２３】
このリスト表示は、テキストデータを用いて図１の表示装置１４上に表示される。この例では、図２に示すディレクトリ構造における「ＲＯＯＴ＞ＵＳＥＲ＞ＳＯＮＧ」の階層が、ユーザの設定操作子１２の操作により選択されている。このフォルダＤＲ（「ＳＯＮＧ」）には、「ＵＳＥＲ  ＳＯＮＧ」フォルダＤＲ及び同じ名称の「ＵＳＥＲ  ＳＯＮＧ」ファイルＤＦが格納されている。また、「ＳＯＮＧ  ００１」、「ＳＯＮＧ  ００２」という名称のファイルＤＦが格納されている。
【００２４】
本実施例では、ファイル名称の先頭部分に記号文字を付与することにより、フォルダ名称とファイル名称との間に段差を作り、フォルダＤＲとファイルＤＦとが一目で認識できるようにしている。
【００２５】
具体的には、図に示すように、「＿」のような１文字分の表示領域の内の大半が空白の記号文字を付与することにより、これを付与したファイル名と付与されていないフォルダ名とに段差ができたような表示となり両者の識別が容易となる。
【００２６】
図４は、本発明の実施例によるフォルダ・ファイルリスト表示処理を表すフローチャートである。なお、この処理は電子音楽装置１の記憶装置１５内に記憶されているフォルダＤＲ及びファイルＤＦを閲覧する必要がある場合、若しくは記憶装置１５内に記憶されているフォルダＤＲ及びファイルＤＦを管理（コピー、名称変更、削除等）、編集、再生等のために選択する場合に起動される。
【００２７】
ステップＳＡ１で、フォルダ・ファイルリスト表示処理を開始し、ステップＳＡ２では、表示対象のフォルダ（階層）ＤＲの選択を受け付ける。フォルダＤＲの選択は、図１の記憶装置１５内に管理・記憶されている複数のフォルダＤＲの中から所望のフォルダＤＲをユーザが図１の設定操作子１２を用いて行う。この時、初期画面として記憶装置１５のルートディレクトリ（図２の例では「ＲＯＯＴ」）を自動選択するようにしてもよいし、ルートディレクトリの内容を以下のステップＳＡ３〜ステップＳＡ５の処理により表示し、その中から所望のフォルダＤＲを選択させるようにしてもよい。また、ユーザが所望のフォルダＤＲ名称を設定操作子１２等を用いて直接入力するなどして選択するようにしてもよい。また、前回のフォルダ・ファイルリスト表示処理によって選択されたフォルダＤＲに関する情報（パス等）を記憶装置１５やＲＡＭ７内の一時記憶領域に記憶しておき、当該記憶されたフォルダＤＲを自動選択するようにしても良い。
【００２８】
ステップＳＡ３では、ステップＳＡ２で選択されたフォルダＤＲに含まれるフォルダＤＲ及びデータファイルＤＦを記憶装置１５内から検出する。ここで、検出したフォルダＤＲ及びデータファイルＤＦの名称を表すテキストデータを抽出し、例えば、ＲＡＭ７内のバッファ領域に一時的に記憶する。
【００２９】
ステップＳＡ４では、ステップＳＡ３で検出したデータファイルＤＦのファイル名称の先頭に所定の記号文字を付与する。すなわち、ステップＳＡ３でＲＡＭ７内のバッファ領域に一時的に記憶したデータファイルＤＦの名称を表すテキストデータの先頭に所定のテキストデータ（記号文字）を付与してＲＡＭ７内のバッファ領域に一時的に記憶したデータファイルＤＦの名称を更新する。なお、この所定の記号文字は、一覧表示用に一時的に付与するだけであり、元々の名称には影響を与えない。
【００３０】
このステップＳＡ４で付与する記号文字は、どのようなものでもよいが、例えば、「＿」や、「￣」等の１文字分の表示領域の内の大半が空白のものとするのがより好ましい。また、記号文字としてスペース（空白）を付与してもよい。１文字分の表示領域の内の大半が空白の記号文字や、スペース（空白）を付与することにより、これを付与したファイル名と付与されていないフォルダ名とに段差ができたような表示となり両者の識別がさらに容易となる。
【００３１】
ステップＳＡ５では、ステップＳＡ３で検出したフォルダＤＲ及びデータファイルＤＦの名称を所定のソート順で並び替えて表示装置１４に表示する。具体的には、ステップＳＡ３で抽出してＲＡＭ７内のバッファ領域に一時的に記憶したフォルダＤＲの名称を表すテキストデータ及びステップＳＡ３で抽出してＲＡＭ７内のバッファ領域に一時的に記憶しステップＳＡ４で先頭に記号文字を付与したデータファイルＤＦの名称を表すテキストデータを所定のソート順でソートして表示装置１４に表示する。ここで、所定のソート順とは、名称の昇順、降順、ファイルサイズ順、ファイル種類順、ファイル作成・更新日時順等である。その後、ステップＳＡ６に進み、フォルダ・ファイルリスト表示処理を終了する。
【００３２】
なお、上述のステップＳＡ４では、データファイル名の先頭に記号文字を付与したが、フォルダ名の先頭に記号文字を付与するようにしてもよい。また、フォルダ名及びファイル名の双方にそれぞれ異なる記号文字を付与するようにしてもよい。
【００３３】
なお、フォルダ（ディレクトリ）名やデータファイル名の先頭に付与する所定記号文字と同じ記号文字を、フォルダ（ディレクトリ）名やデータファイル名に予め付与できないようにするのが好ましい。これは、同じ記号文字が予め付与してあると、自動付与したものなのか否かが判別できなくなるからである。あるいは、フォルダ（ディレクトリ）名やデータファイル名の先頭以外の中間や末尾であれば、同じ記号文字を付与できるようにしてもよい。
【００３４】
また、一覧表示内でフォルダ（ディレクトリ）を多段階表示する場合には、所定記号文字を複数個付与して多段階であることを表してもよい。
【００３５】
以上、本発明の実施例によれば、フォルダ名及び／又はファイル名の先頭に記号文字を付与してフォルダ名及びファイル名を表示装置にリスト表示するので、表示装置上でのフォルダ及びファイルの識別が容易になる。
【００３６】
また、記号文字を付与するので、文字情報（テキストデータ）のみを表示可能な表示装置上においても、フォルダ及びファイルの識別が容易になる。
【００３７】
また、１文字分の表示領域の内の大半が空白の記号文字や、スペース（空白）を付与することにより、これを付与したファイル名と付与されていないフォルダ名とに段差ができたような表示となり両者の識別がさらに容易となる。
【００３８】
以上実施例に沿って本発明を説明したが、本発明はこれらに制限されるものではない。例えば、種々の変更、改良、組み合わせ等が可能なことは当業者に自明であろう。
【図面の簡単な説明】
【００３９】
【図１】本発明の実施例による電子音楽装置１のハードウェア構成を表すブロック図である。
【図２】本発明の実施例によるフォルダ及びファイルの階層構造を表す概念図である。
【図３】本発明の実施例によるフォルダＤＲ及びファイルＤＦリスト表示例である。
【図４】本発明の実施例によるフォルダ・ファイルリスト表示処理を表すフローチャートである。
【符号の説明】
【００４０】
１…電子音楽装置、６…バス、７…ＲＡＭ、８…ＲＯＭ、９…ＣＰＵ、１０…タイマ、１１…検出回路、１２…設定操作子、１３…表示回路、１４…表示装置、１５…記憶装置、１８…音源・効果回路、１９…サウンドシステム、２１…通信Ｉ／Ｆ、２２…演奏操作子
【図１】
2009216902.tif 000003
【図２】
2009216902.tif 000004
【図３】
2009216902.tif 000005
【図４】
2009216902.tif 000006